(57)【要約】【課題】１種類の構成で、現場に合わせた形態に組み替える。【解決手段】表示画面１１を有するカバー１２、および、カバー１２が取り付けられるケース１３からなる第１のユニット１と、表示画面１１以外の監視装置に必要な構成要素２２が収納された第２のユニット２と、第１，２のユニット１，２の一側面にそれぞれ設けられ、当該第１，２のユニット１，２を連結するとともに当該第１，２のユニット１，２間の配線を可能とする一対の連結構造１４，２４とを備え、ケース１３は、カバー１２との所定の取り付け向きから当該カバー１２の垂線周りに９０°単位で回転させたどの向きであっても、当該カバー１２を取り付け可能である。【選択図】図１
2014049480.tif 000002
【特許請求の範囲】
【請求項１】
表示画面を有する監視装置の筐体構造において、
前記表示画面を有するカバー、および、前記カバーが取り付けられるケースからなる第１のユニットと、
前記表示画面以外の前記監視装置に必要な構成要素が収納された第２のユニットと、
前記第１，２のユニットの一側面にそれぞれ設けられ、当該第１，２のユニットを連結するとともに当該第１，２のユニット間の配線を可能とする一対の連結構造とを備え、
前記ケースは、前記カバーとの所定の取り付け向きから当該カバーの垂線周りに９０°単位で回転させたどの向きであっても、当該カバーを取り付け可能である
ことを特徴とする監視装置の筐体構造。
【請求項２】
前記連結構造は、貫通孔を有する筒状の突起と、対向する前記連結構造の突起が挿入可能な挿入孔とからなる
ことを特徴とする請求項１記載の監視装置の筐体構造。
【請求項３】
前記第１のユニットの連結構造は、前記第１のユニットの一側面に設けられることに代えて、着脱可能な連結パネルとし、
前記ケースの各面には、少なくとも前記連結パネルの突起および挿入孔と対向する部分に開口が設けられ、
前記ケースの各面のうち、一面には前記連結パネルが取り付けられ、他の面にはブランクパネルが取り付けられる
ことを特徴とする請求項２記載の監視装置の筐体構造。
【請求項４】
前記第２のユニットの連結構造は、前記第２のユニットの一側面に設けられることに代えて、着脱可能な連結パネルとし、
前記第２のユニットの各面には、少なくとも前記連結パネルの突起および挿入孔と対向する部分に開口が設けられ、
前記第２のユニットの各面のうち、一面には前記連結パネルが取り付けられ、他の面にはブランクパネルが取り付けられる
ことを特徴とする請求項２記載の監視装置の筐体構造。
【発明の詳細な説明】
【技術分野】
【０００１】
この発明は、表示画面の配置を変更可能な監視装置の筐体構造に関するものである。
【背景技術】
【０００２】
従来、空調等の監視を行う壁掛け型や自立型の監視装置では、表示画面（液晶画面）のレイアウトとして、装置の上側に配置されたものや下側に配置されたもの等がある（例えば特許文献１，２参照）。
【０００３】
これらの監視装置では、通常、表示画面は見やすい位置となる高さに設置されるが、設置現場の事情により所望の位置に設置できない場合がある（例えば、上下に他の機器がある場合や、机がある場合等）。また、監視装置が置かれる現場の設置環境は様々であるが、それに合わせた別々の形態の製品を複数開発することは大きな開発負荷がかかるため、通常は１種類の形態しか開発しない。そのため、現場の使い勝手上問題がある設置条件となる場合がある。
そこで、例えば人が立って操作するには高すぎる位置に表示画面１００が設置されている場合、天井の照明が映り込んで見づらくなるため、図１０に示すように、反射を防止するためのフード１０１を取り付けている。また、表示画面１００の設置位置が高すぎる場合や低すぎる場合には、図１１，１２に示すように、表示画面１００を傾斜させて突出させたり可動式にすることで、視認性を確保している。
【先行技術文献】
【特許文献】
【０００４】
【特許文献１】意匠登録１０７４２４５号公報
【特許文献２】意匠登録１１４０９７０号公報
【発明の概要】
【発明が解決しようとする課題】
【０００５】
しかしながら、フードを取り付ける方法では、視認性は確保することができるが、タッチパネル操作が不自然な姿勢となるため疲労の原因となるという課題がある。また、表示画面を傾斜させて、突出させたり可動式とする方法では、表示画面が前に飛び出るため、狭い室内では邪魔になるだけでなく、ぶつかる危険がある等の課題がある。
【０００６】
この発明は、上記のような課題を解決するためになされたもので、１種類の構成で、現場に合わせた形態に組み替えることができる監視装置の筐体構造を提供することを目的としている。
【課題を解決するための手段】
【０００７】
この発明に係る監視装置の筐体構造は、表示画面を有するカバー、および、カバーが取り付けられるケースからなる第１のユニットと、表示画面以外の監視装置に必要な構成要素が収納された第２のユニットと、第１，２のユニットの一側面にそれぞれ設けられ、当該第１，２のユニットを連結するとともに当該第１，２のユニット間の配線を可能とする一対の連結構造とを備え、ケースは、カバーとの所定の取り付け向きから当該カバーの垂線周りに９０°単位で回転させたどの向きであっても、当該カバーを取り付け可能であるものである。
【発明の効果】
【０００８】
この発明によれば、上記のように構成したので、１種類の構成で、現場に合わせた形態に組み替えることができるため、効率的な開発になると共に、現場での使い勝手を向上させることが可能となる。
【図面の簡単な説明】
【０００９】
【図１】この発明の実施の形態１に係る監視装置の筐体構造の構成を示す図であり、（ａ）第１のユニットの構成を示す分解斜視図であり、（ｂ）第２のユニットの構成を示す分解斜視図である。
【図２】この発明の実施の形態１に係る第１，２のユニットの配置例を示す図である。
【図３】この発明の実施の形態１における連結構造の連結方法（ねじ機構）を示す図である。
【図４】この発明の実施の形態１における連結構造の連結方法（ツメ機構）を示す図である。
【図５】この発明の実施の形態１における連結構造の連結方法（固定機構）を示す図である。
【図６】この発明の実施の形態１における連結構造の連結方法（壁面への固定機構）を示す図である。
【図７】この発明の実施の形態２に係る第２のユニットのケースの構成を示す分解斜視図である。
【図８】この発明の実施の形態２に係る第２のユニットのカバーの構成を示す分解斜視図である。
【図９】この発明の実施の形態２に係る第１，２のユニットの配置例を示す図である。
【図１０】従来の監視装置の構成を示す図である。
【図１１】従来の監視装置の別の構成を示す図である。
【図１２】従来の監視装置の別の構成を示す図である。
【発明を実施するための形態】
【００１０】
以下、この発明の実施の形態について図面を参照しながら詳細に説明する。
実施の形態１．
図１は、この発明の実施の形態１に係る監視装置の筐体構造を示す図である。
監視装置の筐体構造は、図１に示すように、表示画面１１を有する第１のユニット１と、それ以外の監視装置に必要な構成要素（電源や制御機能等を持つ部分）２２を有する第２のユニット２から構成されている。
【００１１】
第１のユニット１は、図１（ａ）に示すように、前面に表示画面１１を有するカバー１２と、カバー１２が開放面に取り付けられる箱型形状のケース１３とから構成されている。このケース１３の一側面には、貫通孔１４１ａを有する円筒状の突起１４１および挿入孔１４２からなり、第２のユニット２と連結するための連結構造１４が、ケース１３と一体に設けられている。貫通孔１４１ａはケース１３の内部にまで通じている。また、挿入孔１４２は、第２のユニット２の後述する連結構造２４の突起２４１が挿入可能な径に構成されている。この連結構造１４，２４による第１，２のユニット１，２の連結方法については後述する。
また、ケース１３は、図１（ａ）に示すようにカバー１２との所定の取り付け向きから当該カバー１２の垂線周りに９０°単位で回転させたどの向きであっても、当該カバー１２を取り付け可能に構成されている。これにより、連結構造１４を第１のユニット１の所望の位置（上下左右）に向けることができる（図２参照）。なお、カバー１２の取り付け方法さえ考慮すれば、ケース１３が正方形である必要はない。
【００１２】
第２のユニット２は、図１（ｂ）に示すように、カバー２１と、構成要素２２と、構成要素２２が収納され、カバー２１が開放面に取り付けられる箱型形状のケース２３とから構成されている。なお、構成要素２２は、ケース２３の背面に設けられた取り付け穴２３１を介してねじ等により固定される。このケース２３の一側面には、貫通孔２４１ａを有する円筒状の突起２４１および挿入孔２４２からなり、第１のユニット１と連結するための連結構造２４が、ケース２３と一体に設けられている。貫通孔２４１ａはケース２３の内部にまで通じている。また、挿入孔２４２は、第１のユニット１の連結構造１４の突起１４１が挿入可能な径に構成されている。
また、ケース２３は、図１（ｂ）に示すようにカバー２１および構成要素２２との所定の取り付け向きから当該カバー２１の垂線周りに９０°単位で回転させたどの向きであっても、当該カバー２１および構成要素２２を取り付け可能に構成されている。これにより、連結構造２４を第２のユニット２の所望の位置（上下左右）に向けることができる（図２参照）。なお、カバー２１および構成要素２２の取り付け方法さえ考慮すれば、ケース２３が正方形である必要はない。
【００１３】
なお、連結構造１４，２４の突起１４１，２４１を、ケース１３，２３の内部にまで通じた貫通孔１４１ａ，２４１ａを有する円筒状とすることで、第１，２のユニット１，２の連結後、この連結構造１４，２４を介して当該第１，２のユニット１，２間の配線を行うことが可能である。
【００１４】
また、図１では自立型の監視装置を想定した場合について示している。それに対して、壁掛け型監視装置の場合には、第１，２のユニット１，２の背面の例えば四隅に、壁面に第１，２のユニット１，２を固定するためのねじ穴が設けられる。
【００１５】
そして、上記のように構成された第１，２のユニット１，２の組み立てでは、まず、監視装置が置かれる現場の設置環境に応じて、監視装置全体における第１のユニット１（表示画面１１）の配置（レイアウト）を決め、連結構造１４，２４の向きを決める。この際、図２に示すように、４通りの配置が可能である。なお、図２の“上”，“下”，“左”，“右”は、監視装置全体における第１，２のユニット１，２のそれぞれの位置を示している。
そして、連結構造１４，２４により第１，２のユニット１，２の連結を行う。また、連結構造１４，２４を介して第１，２のユニット１，２間の配線を行う。その後、第１のユニット１については、ケース１３にカバー１２を取り付け、第２のユニット２については、ケース２３に構成要素２２を収納して固定した後、カバー２１を取り付ける。
これにより、１種類の構成で、現場に合わせた形態に容易に組み替えることができる。
【００１６】
次に、連結構造１４，２４による第１，２のユニット１，２の連結方法について、図３〜６を参照しながら説明する。
この連結構造１４，２４による連結方法としては、例えば、図３に示すように、連結構造１４，２４にねじ機構を設ける方法がある。すなわち、突起１４１，２４１に雄ねじ１４３，２４３を切る。そして、この突起１４１，２４１を挿入孔２４２，１４２にそれぞれ挿入させた後、雄ねじ１４３，２４３にロックナット１４３ａ，２４３ａ等を締結することで第１，２のユニット１，２の連結を行う。
【００１７】
また、図４に示すように、連結構造１４，２４にツメ機構を設ける方法もある。すなわち、円筒状の突起１４１，２４１の先端側に軸心周りに所定間隔でスリット１４４ａ，２４４ａを形成し、その端部に外側に向かって突出したツメ１４４，２４４を設ける。そして、突起１４１，２４１を挿入孔２４２，１４２にそれぞれ挿入する。この際、ツメ１４４，２４４が挿入孔２４２，１４２と当接することで、突起１４１，２４１の先端側が内側に向かって弾性変形しながら挿入される。そして、ツメ１４４，２４４が挿入孔２４２，１４２を通過した後、弾性変形が解消され、ツメ１４４，２４４が挿入孔２４２，１４２と係合することで第１，２のユニット１，２の連結を行う。
【００１８】
また、図５に示すように、第１，２のユニット１，２の連結構造１４，２４を有する面に固定機構（例えばボルトとナットによる固定等）３を設ける方法もある。すなわち、連結構造１４，２４を有する面の所定箇所に締結用穴１４５，２４５を形成する。そして、突起１４１，２４１を挿入孔２４２，１４２にそれぞれ挿入させた後、締結用穴１４５，２４５を介してボルト・ナット等により締結することで第１，２のユニット１，２の連結を行う。
【００１９】
さらに、図６に示すように、第１，２のユニット１，２の背面に、壁面に第１，２のユニット１，２を固定するための固定機構（例えばボルトとナットによる固定等）４を設ける方法もある。すなわち、第１，２のユニット１，２の背面に締結用穴１４６，２４６を形成する。そして、突起１４１，２４１を挿入孔２４２，１４２にそれぞれ挿入させた後、締結用穴１４６，２４６を介して、ボルト・ナット等により第１，２のユニット１，２をそれぞれ壁面に固定することで第１，２のユニット１，２の連結を行う。
【００２０】
以上のように、この実施の形態１によれば、表示画面１１を有するカバー１２、および、カバー１２が取り付けられるケース１３からなる第１のユニット１と、表示画面１１以外の監視装置に必要な構成要素２２が収納された第２のユニット２と、第１，２のユニット１，２の一側面にそれぞれ設けられ、当該第１，２のユニット１，２を連結するとともに当該第１，２のユニット１，２間の配線を可能とする一対の連結構造１４，２４とを備え、ケース１３，２３は、カバー１２，２１との所定の取り付け向きから当該カバー１２，２１の垂線周りに９０°単位で回転させたどの向きであっても、当該カバー１２，２１を取り付け可能であるように構成したので、１種類の構成で、現場に合わせた形態に組み替えることができるため、効率的な開発になると共に、現場での使い勝手を向上させることが可能となる。
【００２１】
なお、実施の形態１では、第２のユニット２についても、ケース２３が、カバー２１および構成要素２２との所定の取り付け向きから当該カバー２１の垂線周りに９０°単位で回転させたどの向きであっても、当該カバー２１および構成要素２２を取り付け可能に構成される場合について示した。しかし、カバー２１の向きが一定である必要がない場合には、ケース２３が９０°単位で回転したどの向きであってもカバー２１を取り付け可能とする必要はない（単にカバー２１、構成要素２２およびケース２３を一体に回転させて、連結構造２４を所望の位置に向けるようにすればよい）。
【００２２】
実施の形態２．
実施の形態１では、第１，２のユニット１，２の一側面に連結構造１４，２４を設けた場合について示した。それに対して、実施の形態２では、連結構造１４，２４を着脱可能とし、他の面にも取り付け可能な構造とした場合について示す。
【００２３】
図７はこの発明の実施の形態２に係る第２のユニット２のケース２３の構成を示す分解斜視図であり、図８はカバー２１の構成を示す分解斜視図である。
図７に示すように、ケース２３の各面（各側面および背面）には、少なくとも後述する連結用パネル２５の突起２４１および挿入孔２４２と対向する部分を含む所定領域に開口２３２が設けられている。また、図８に示すように、カバー２１についても同様に、連結用パネル２５の突起２４１および挿入孔２４２と対向する部分を含む所定領域に開口２１１が設けられている。
【００２４】
そして、ケース２３の各面およびカバー２１のうち１つの面（図７では上面）には、連結構造２４を有するパネル（連結用パネル）２５がねじ等により取り付けられる。また、他の面には、ブランクパネル２６がねじ等により取り付けられる。
なお、第１のユニット１については、ケース１３には、ケース２３と同様に、連結パネル１５の突起１４１および挿入孔１４２と対向する部分を含む所定領域に開口１３１が設けられるが、カバー１２には開口は設けられない。
【００２５】
なお、上記のように構成された第１，２のユニット１，２の組み立て方法は実施の形態１と同様であり、その説明を省略する。一方、表示画面１１の配置を変更する場合には、連結用パネル１５，２５を取り外し、他の面のブランクパネル１６，２６と取り替えるのみでよい。すなわち、ケース１３，２３の回転が不要となる。
また、連結用パネル１５，２５とブランク１６，２６の大きさを揃えておけば、カバー１２，１２を取り付ける際にケース１３，２３の向きを考慮する必要がないため、ケース１３，２３形状の設計自由度が上がる。さらに、図９に示すように、第１，２のユニット１，２を前後に配置することも可能となる。
【００２６】
以上のように、この実施の形態２によれば、連結構造１４，２４は着脱可能な連結パネル１５，２５とし、ケース２３および第２のユニット２の各面には、少なくとも連結パネル１５，２５の突起１４１，２４１および挿入孔１４２，２４２が対向する部分に開口１３１，２１１，２３１が設けられ、ケース２３および第２のユニット２の各面のうち、それぞれ一面には連結パネル１５，２５が取り付けられ、他の面にはブランクパネル１６，２６が取り付けられるように構成したので、表示画面１１のレイアウトを変更する際にケース１３，２３の回転が不要となり、また、ケース１３，２３形状の設計自由度が上がる。
【００２７】
なお、実施の形態２では、第２のユニット２についても、着脱可能な連結パネル２６を用いた場合について示した。しかし、カバー２１の向きが一定である必要がない場合において、図９に示す前後配置としない場合には、着脱可能な連結パネル２６とする必要はない。
【００２８】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２９】
１  第１のユニット
２  第２のユニット
３，４  固定機構
１１  表示画面
１２，２１  カバー
１３，２３  ケース
１４，２４  連結構造
１５，２５  連結用パネル
１６，２６  ブランクパネル
２２  構成要素
１３１，２１１，２３２  開口
１４１，２４１  突起
１４１ａ，２４１ａ  貫通孔
１４２，２４２  挿入孔
１４３，２４３  雄ねじ
１４３ａ，２４３ａ  ロックナット
１４４，２４４  ツメ
１４４ａ，２４４ａ  スリット
１４５，１４６，２４５，２４６  締結用穴
２３１  取り付け穴
【図１】
2014049480.tif 000003
【図２】
2014049480.tif 000004
【図３】
2014049480.tif 000005
【図４】
2014049480.tif 000006
【図５】
2014049480.tif 000007
【図６】
2014049480.tif 000008
【図７】
2014049480.tif 000009
【図８】
2014049480.tif 000010
【図９】
2014049480.tif 000011
【図１０】
2014049480.tif 000012
【図１１】
2014049480.tif 000013
【図１２】
2014049480.tif 000014